(57)【要約】本発明は、高周波を利用した関節治療機に関するものであり、高周波および超音波発生装置をパッド型の円形で装着し、測定部位である膝を円形の治療発生装置に入れて制御板で開始ボタンを押せば、パッドが内側に設置された駆動モーターによって治療部位の太さに合うようにパッドを内側に誘導して適切な圧力で患部を覆い被せて高周波および超音波が患部を刺激して治療するためのものである。本発明の高周波を利用した膝関節治療機は、別途の教育なしに手軽に誰でも使用が可能であり、治療時に発生する周波数によって血液中の老廃物を除去し、細胞を再生させる効果と治療時に５０万回以上の周波数が膝へ浸透して膝の中から熱が発生して暖かくさせることによって既存の湿布より効果的である。【選択図】図１
2014500748.tif 000002
【特許請求の範囲】
【請求項１】
膝関節に周波数を伝達するために膝カバー１２０の内側に上側シリコンパッド１３０を備え、向こう側に下側シリコンパッド１４０を備え、膝カバー１２０の一方には締めパッド１５０を備え、他方には膝を固定するための締結パッド１６０とワンタッチ締結機１７０とを備える本体部１００と、
前記膝カバー１２０を使用者の膝に合わせて締めパッド１５０を駆動するための駆動部２００と、
前記上側シリコンパッドと下側シリコンパッド１３０，１４０とを通じて周波数を発生させるための制御部３００とを含むことを特徴とする高周波を利用した膝関節治療機。
【請求項２】
前記駆動部２００は、膝カバー１２０に連結された締めパッド１５０を駆動させるために、ケース１１０の内部に駆動モーター２１０を備え、駆動モーター２１０はモーター固定フレーム２１１に固定され、モーター軸２１２にはローラー２２０が連結され、ローラー軸２２２はベアリング２３０に連結され、ベアリング２３０はローラー固定フレーム２２１に結合されることを特徴とする請求項１に記載の高周波を利用した膝関節治療機。
【請求項３】
前記駆動部２００は、作動するときに下側シリコンパッド１４０へ空気を注入するために、ケース１１０の内部に小型ポンプ２４０を備え、小型ポンプ２４０から作られた空気を伝達するために空気注入管２５０を備え、下側シリコンパッド１４０から排出されるために空気排出管２６０を備えることを特徴とする請求項１に記載の高周波を利用した膝関節治療機。
【請求項４】
前記制御部３００は、発生した周波数を伝達するためのケーブル３７０と、膝に間接的な周波数を送るために上側シリコンパッド１３０の中央内部に金属伝導体３５０とを備え、膝に直接的な周波数を送るために下側シリコンパッド１４０の中央外面に伝導体３６０を備え、左・右側の膝へ異なる周波数を送って調節するために、周波数選択ボタン３２０と周波数調節ボリューム３３０とを形成し、それぞれの状態を表すためにディスプレイ３１０を備えることを特徴とする請求項１に記載の高周波を利用した膝関節治療機。
【発明の詳細な説明】
【技術分野】
【０００１】
本発明は、高周波を利用した膝関節治療機に関するものであり、高周波および超音波発生装置パッドを半円形で装着し、測定部位の膝を円形の治療発生装置に入れて、制御板で開始ボタンを押せばパッドが内側に設置された駆動モーターとローラによって治療部位の太さに合わせてパッドを内側に誘導し、小型ポンプでシリコンパッドへ空気を注入して適切な圧力で患部を覆い被せて高周波および超音波が患部を刺激して治療するためのものである。
【背景技術】
【０００２】
一般的に、高周波および低周波治療機には、（＋）及び（−）電極を患部の対称点に装着したり、または擦る方法が使用されている。
【０００３】
施術棒を使用する場合（＋）極を使用者の手の甲や足の甲に付けて、（−）極の施術棒を望む部位に擦って高周波および低周波などを発生させて人体に透過させる方法を使用したり、一般的に普遍化したパッドを付ける方法で治療部位にパッドを付けて、それぞれの異なる周波数を通じて刺激する方法が使用されている。
【０００４】
前記超音波パッド方式の治療方法に温熱機能を追加したものが、韓国公開特許１０−２００４−００４９５８０号に掲示された関節炎治療のための超音波物理治療パッドであり、同時にいろんな部位の施術を可能にし、物理治療を施術する間に施術者なしで温熱機能と超音波機能を同時に使用する共用パッドに関するものである。
【０００５】
前記発明は、パッド方式で脱付着が容易であるが、膝を覆い被せる場合、超音波パッド部がへこむように覆い被せられるために脚を固定させることができないので、膝が動くことになる不便さがある。
【０００６】
また、円形パッドを使用するために、韓国実用新案で登録された２０−０２９７４６８号に掲示された血圧測定駆動装置を調べれば、駆動モーター及びセンサーを使用して使用者の腕に合わせて調節し、適切な圧力で覆い被せる構造である。
【０００７】
前記発明は、駆動モーターで片方で引き締めることによって圧力を加えるために、皮膚がねじれる現象により皮膚に拒否感をあたえる問題が発生した。
【発明の概要】
【発明が解決しようとする課題】
【０００８】
本発明は、前述で提案された内容を改善するために、次のように提示したものであり、本発明は、高周波および超音波発生装置のパッドを半円形で装着し、治療発生装置に膝を入れて、駆動モーターとローラーとを通じて治療部位の太さに合わせてパッドが内側に誘導し、小型ポンプの空気を通じて適切な圧力で患部を覆い被せて高周波および超音波が患部を刺激することを目的とする。
【課題を解決するための手段】
【０００９】
本発明は、前述した目的を達成するために、次のような解決手段を提示した。
【００１０】
本発明の高周波を利用した膝関節治療機は、大きく分けて、膝関節を治療することができるように具備された本体部１００と、使用者の膝に合わせて調節する駆動部２００と、それぞれの周波数を制御して治療する制御部３００とに分かれる。
【００１１】
前記本体部１００は、膝カバー１２０の内側に上側シリコンパッド１３０を備え、向こう側に下側シリコンパッド１４０を備え、膝カバー１２０の一方には締めパッド１５０を備え、他方には膝を固定するための締結パッド１６０とワンタッチ締結機１７０とを備えることを特徴とする。
【００１２】
また、前記駆動部２００は、膝カバー１２０に連結された締めパッド１５０を駆動させるためにケース１１０の内部に駆動モーター２１０を備え、駆動モーター２１０はモーター固定フレーム２１１に固定され、モーター軸２１２にはローラー２２０が連結され、ローラー軸２２２はベアリング２３０で連結され、ベアリング２３０はローラー固定フレーム２２１に結合されていることを特徴とする。
【００１３】
なお、本発明の駆動部２００を作動するとき、下側シリコンパッド１４０へ空気を注入するためにケース１１０の内部に小型ポンプ２４０を備え、小型ポンプ２４０から作られた空気を伝達するための空気注入管２５０を備え、下側シリコンパッド１４０へ排出するために空気排出管２６０を備えることを特徴とする。
【００１４】
更に、前記制御部３００から発生した周波数を伝達するためのケーブル３７０と、膝に間接的に周波数を送るための上側シリコンパッド１３０の中央内部に金属伝導体３５０を備え、膝に直接的に周波数を送るために下側シリコンパッド１４０の中央外面に伝導体３６０を備え、左・右側の膝へ異なる周波数を送って調節するための周波数選択ボタン３２０と周波数調節ボリューム３３０とを形成し、それぞれの状態を表すためのディスプレイ３１０を備えることを特徴とする。
【発明の効果】
【００１５】
本発明によれば、次のような効果がある。
【００１６】
本発明の高周波を利用した膝関節治療機は、別途の教育なしに手軽に誰でも使用が可能であり、治療するときに発生する周波数によって血液中の老廃物を除去して、細胞を再生させる効果を提供する。
【００１７】
また、治療時に５０万回以上の周波数が膝へ浸透して、膝の中から熱が発生して暖かくさせることによって既存の湿布より効果的である。
【００１８】
なお、膝を覆い被せる材質がシリコンで形成され、小型ポンプで空気を注入して締めパッドで圧迫させるために、皮膚に触れても拒否感がないように提供される。
【図面の簡単な説明】
【００１９】
【図１】本発明の高周波を利用した膝関節治療機の斜視図を示す。
【図２】本発明の高周波を利用した膝関節治療機の正面図を示す。
【図３】本発明の高周波を利用した膝関節治療機の正断面図を示す  。
【図４】本発明の高周波を利用した膝関節治療機の側断面図を示す。
【図５】本発明の高周波を利用した膝関節治療機の治療部位による作動状態図を示す。
【発明を実施するための形態】
【００２０】
以下には、添付された図面を参照して、本発明に対して詳細に説明する。
【００２１】
本発明の製品構成は、図１と図２、図３と図４に表され、図５では、本発明の作動原理を表している。
【００２２】
前記図１、図２及び図３で図示されたように、本発明は、大きく分けて、膝関節を治療することができるように具備された本体部１００と、使用者の膝に合わせて調節する駆動部２００と、それぞれの周波数を制御して治療する制御部３００とに分かれる。
【００２３】
前記本体部１００は、本体を形成するケース１１０と、使用者の膝を覆う膝カバー１２０と、膝カバー１２０の内側に形成された上側シリコンパッド１３０と、上側シリコンパッド１３０の向こう側に形成された下側シリコンパッド１４０と、膝を覆い被せて膝カバー１２０を固定するための締結パッド１６０と、ワンタッチ締結機１７０と、膝を覆い被せて適切な圧力で引き締めるための締めパッド１５０とで構成される。
【００２４】
また、前記駆動部２００は、締めパッド１５０を作動させるためのローラー２２０及び駆動モーター２１０と、ローラー２２０及び駆動モーター２１０を固定するためのモーター固定フレーム２１１と、ローラー固定フレーム２２１とが具備され、ローラー固定フレーム２２１にはベアリング２３０が結合され、下側シリコンパッド１４０へ空気を入れるための小型ポンプ２４０と、空気注入管２５０と、下側シリコンパッド１４０の空気を外へ排出させるための空気排出管２６０とで構成される。
【００２５】
なお、前記制御部３００は、使用者の膝に合わせて膝を圧迫する圧迫センサー３８０と、作動状態を表すための左・右側のディスプレイ３１０と、使用者がそれぞれの異なる周波数を選択するための周波数選択ボタン３２０と、周波数の大きさを調節するための周波数ボリューム３３０と、周波数を伝達するためのケーブル３７０と、伝達された周波数を膝へ送るための金属伝導体３５０と、伝導体３６０と、電源供給をするための電源スイッチ３４０とで構成される。
【００２６】
前述には、本発明の構成部品を表した。以下では、それぞれの図面により構成品らに連結方法を説明する。
【００２７】
図１は、本発明の斜視図であり、図２は正面図である。  図面で分かるように、本体部１００は、ケース１１０で構成されて、ケース１１０の上側には使用者の膝を覆うための膝カバー１２０が具備される。
【００２８】
前記膝カバー１２０の内側には、上側シリコンパッド１３０が結合され  、膝に接触時に拒否感がない材質で形成されている。
【００２９】
また、膝カバー１２０の一方には、締めパッド１５０が形成され、ケース１１０の内部にはローラー２２０で連結され、ローラー２２０の構成は図３及び図４で詳しく説明する。
【００３０】
なお、膝カバー１２０の他方には締結パッド１６０が形成され、締結パッド１６０と触れ合う位置にはワンタッチ締結機１７０が形成され、使用者の膝を下側シリコンパッド１４０にのせて、膝カバー１２０で覆い被せて締結パッド１６０でワンタッチ締結機（１７０）に結合させて固定することになる。
【００３１】
前記上側シリコンパッド１３０の向こう側には、下側シリコンパッド１４０が形成され、使用者の膝を上げて、膝カバー１２０を締結したとき、膝を圧迫するためにケース１１０の内部の小型ポンプ２４０から発生した空気を下側シリコンパッド１４０へ注入して膨らませてくれることになる。
【００３２】
前記膝カバー１２０と、上側シリコンパッド１３０と、下側シリコンパッド１４０等は、左・右側の二つで形成されている。
【００３３】
前記ケース１１０の全面には、制御部３００が具備され  、制御部３００には動作するための電源スイッチ３４０が形成され、電源スイッチ３４０を中心に左側ディスプレイ３１０と、周波数選択ボタン３２０と、周波数調節ボリューム３３０とがあり、右側では、左側と同じようにディスプレイ（３１０）と、周波数選択ボタン３２０と、周波数調節ボリューム３３０とで構成される。
【００３４】
前記図３及び図４は、正断面図及び側断面図であり、ケース１１０の内部に構成された駆動部２００及び制御部３００を詳しく説明する。
【００３５】
前記ケース１１０の内部には駆動部２００が具備され、ケース１１０の内部中央を中心に両側でモーター固定フレーム２１１に駆動モーター２１０が結合され、モーター軸２１２を通じて締めパッド１５０と連結されているローラー２２０とで結合され、ローラー２２０は、ローラー軸２２２を通じてベアリング２３０と結合されている。
【００３６】
前記ベアリング２３０は、ローラー固定フレーム２２１に差し込むことで結合される。
【００３７】
また、ケース１１０の内部の一方には、小型ポンプ２４０が具備され、小型ポンプ２４０は、下側シリコンパッド１４０へ空気を注入するために具備され、小型ポンプ２４０の一方には空気注入管２５０が連結され、一つの空気注入管２５０が連結されて両側の下側シリコンパッド１４０で空気注入管２５０が分けられて連結されている。
【００３８】
なお、下側シリコンパッド１４０へ注入された空気を排出するために、小型ポンプ２４０の他方には空気排出管２６０が具備され、小型ポンプ２４０は、空気を注入および排出ができることで構成される。
【００３９】
更に、前記図面で表すように、制御部３００は、周波数を作って伝達するための手段で構成され、ケース１１０の内部の全面には、制御部３００が形成され、制御部３００の後方へ周波数を伝達するためのケーブル３７０が連結され、伝えられた周波数を使用者の膝に伝達するために上側シリコンパッド１３０の内部に金属伝導体３５０が挿入され、上側シリコンパッド１３０の内部に挿入された金属伝導体３５０は膝に接触しないので間接的な周波数を起こす。
【００４０】
また、下側シリコンパッド１４０の外面に伝導体３６０が付着され、ケーブル３７０を通じて伝えられた周波数が、使用者の膝と直接的に接触しているため、直接的な影響を与えることになる。
【００４１】
なお、締めパッド１５０と下側シリコンパッド１４０とのつりあう圧力で覆い被せるために、上側シリコンパッド１３０の内部中央に圧力センサー３８０が具備される。
【００４２】
前記図面で表すように、本発明の構成の連結を説明した。
【００４３】
前記図５は、本発明の作動原理を表す。以下で説明する。
【００４４】
前記図面で表すように、作動状態を（ａ）及び（ｂ）に分けて、（ａ）は治療するための作動前であり、（ｂ）は治療する過程を表している。
【００４５】
上記（ａ）で表すように、使用前には、膝カバー１２０が開いている状態であり、下側シリコンパッド１４０には空気が注入されていない状態である。
【００４６】
膝カバー１２０を矢印方向で押して、締結パッド１６０が、ワンタッチ締結機１７０に結合されることになる。
【００４７】
従って、（ｂ）で表すように、点線の膝を膝カバー１２０が覆い被せることになり、締めパッド１５０を駆動モーター２１０とローラー２２０とで引き締めてくれることになり、同時に小型ポンプ２４０から発生した空気を空気注入管２５０を通じて下側シリコンパッド１４０へ注入させる。
【００４８】
以上のことから、（ｂ）のように下側シリコンパッド１４０は膨らむことになり、上側シリコンパッド１３０の内部中央に位置した圧力センサー３８０を通じて適切に圧迫してくれる。
【００４９】
圧迫された状態で、上側の金属伝導体３５０の間接的な影響と下側の伝導体３６０の直接的な影響で治療を実施して、図２で表すように、使用者の体に合わせて左・右側の周波数を異なるように選択することができる周波数選択ボタン３２０と、周波数を調節することができる周波数調節ボリューム３３０とを提供して、これを通じて調節する。
【００５０】
治療が完了した後には、下側シリコンパッド１４０の空気を排出させるために小型ポンプ２４０を作動し、図４で表すように、空気排出管２６０を通じて外部へ排出されることになる。
【００５１】
空気が外部へ完全に排出されると、ワンタッチ締結機１７０を押して締結パッド１６０と分離させて膝を取り出すことで作動原理が行われる。
【符号の説明】
【００５２】
１００：本体部
１１０：ケース
１２０：膝カバー
１３０：上側シリコンパッド
１４０：下側シリコンパッド
１５０：締めパッド
１６０：締結パッド
１７０：ワンタッチ締結機
２００：駆動部
２１０：駆動モーター
２１１：モーター固定フレーム
２１２：モーター軸
２２０：ローラー
２２１：ローラー固定フレーム
２２２：ローラー軸
２３０：ベアリング
２４０：小型ポンプ
２５０：空気注入管
２６０：空気排出管
３００：制御部
３１０：ディスプレイ
３２０：周波数選択ボタン
３３０：周波数調節ボリューム
３４０：電源スイッチ
３５０：金属伝導体
３６０：伝導体
３７０：ケーブル
３８０：圧力センサー
【図１】
2014500748.tif 000003
【図２】
2014500748.tif 000004
【図３】
2014500748.tif 000005
【図４】
2014500748.tif 000006
【図５（ａ）】
2014500748.tif 000007
【図５（ｂ）】
2014500748.tif 000008
【国際調査報告】
2014500748.tif 000009
2014500748.tif 000010
2014500748.tif 000011
2014500748.tif 000012